(57)【特許請求の範囲】
【請求項１】
メディアを再生する再生器と、
前記メディアの再生に伴って移動するボタンをタッチスクリーンに表示する画面部と、
前記タッチスクリーン上の前記ボタンが表示された地点へのタッチイベントに基づいて、前記メディアの再生を制御する制御部と、
を含み、
前記制御部は、
前記タッチイベントの継続時間が所定時間未満であることを条件として、前記メディアの再生状態を再生中状態及び一時停止状態の間でトグルさせ、
前記タッチイベントの継続時間が所定時間以上であることを条件として、前記ボタンがドラッグされたことを前記タッチスクリーンを通じて認識する状態に遷移し、当該ドラッグに基づいて前記メディアの再生地点を移動させる、メディア再生を制御する装置。
【請求項２】
前記制御部は、
前記メディアの再生状態を再生中状態にトグルさせた場合、前記ボタンが一時停止ボタンを表示するように制御し、
前記メディアの再生状態を一時停止状態にトグルさせた場合、前記ボタンが再生ボタンを表示するように制御することを特徴とする、請求項１に記載のメディア再生を制御する装置。
【請求項３】
前記画面部は、
前記ボタンが表示される時、再生バーを共に表示し、かつ前記再生バーでの現在再生地点に沿って前記ボタンが移動しながら表示されるようにすることを特徴とする、請求項１に記載のメディア再生を制御する装置。
【請求項４】
前記画面部は、
前記ボタンが前記再生バーが表示された領域内で前記現在再生地点に沿って移動したり、前記再生バーが表示された軌跡での前記現在再生地点に沿って移動することを特徴とする、請求項３に記載のメディア再生を制御する装置。
【請求項５】
前記制御部は、
前記タッチイベントの継続時間が所定時間以上であることを条件として、前記ボタンをドラッグボタンに変更して表示する、請求項１に記載のメディア再生を制御する装置。
【請求項６】
前記制御部は、
前記ボタンが前記ドラッグボタンに変更されて表示されれば、現在再生地点に前記ドラッグボタンが表示された再生バーが表出されるように制御することを特徴とする、請求項５に記載のメディア再生を制御する装置。
【請求項７】
前記制御部は、
前記ボタンが表示されない部分でタッチイベントが認識されれば、音量調節指示子、メディア関連情報、及びメディア移動指示子のうち、１つ以上が表示されるように制御することを特徴とする、請求項１に記載のメディア再生を制御する装置。
【請求項８】
プレイヤーがメディア再生を制御する方法であって、
メディアを再生する第１ステップと、
前記メディアの再生に伴って移動するボタンがタッチスクリーンに表示されるようにする第２ステップと、
前記タッチスクリーン上の前記ボタンが表示された地点へのタッチイベントに基づいて、前記メディアの再生を制御する第３ステップと、
を含み、
前記第３ステップにおいて、
前記タッチイベントの継続時間が所定時間未満であることを条件として、前記メディアの再生状態を再生中状態及び一時停止状態の間でトグルさせ、
前記タッチイベントの継続時間が所定時間以上であることを条件として、前記ボタンがドラッグされたことを前記タッチスクリーンを通じて認識する状態に遷移し、当該ドラッグに基づいて前記メディアの再生地点を移動させる、メディア再生を制御する方法。
【請求項９】
メディア再生を制御する方法を実行させるためのプログラムを記録した記録媒体であって、
メディアを再生する第１機能と、
前記メディアの再生に伴って移動するボタンがタッチスクリーンに表示されるようにする第２機能と、
前記タッチスクリーン上の前記ボタンが表示された地点へのタッチイベントに基づいて、前記メディアの再生を制御する第３機能と、
を具現し、
前記第３機能は、
前記タッチイベントの継続時間が所定時間未満であることを条件として、前記メディアの再生状態を再生中状態及び一時停止状態の間でトグルさせ、
前記タッチイベントの継続時間が所定時間以上であることを条件として、前記ボタンがドラッグされたことを前記タッチスクリーンを通じて認識する状態に遷移し、当該ドラッグに基づいて前記メディアの再生地点を移動させる、プログラムを記録したコンピュータが読み取り可能な記録媒体。
【発明の詳細な説明】
【技術分野】
【０００１】
本発明はメディア再生技術に関し、より詳しくは、メディア再生に対して直観的で、かつ便利な操作性を提供するメディア再生制御方法、装置、及び記録媒体に関する。
【背景技術】
【０００２】
従来のメディア再生装置の画面には、再生ボタン、一時停止ボタンなどの再生関連ボタンが再生バーと別に表示されている。即ち、再生関連ボタンと再生バーなどがそれぞれ別に表示される。
【０００３】
これによって、ユーザが再生関連ボタンのみを見て、メディアが現在再生されている地点を直観的に確認することができない。
【０００４】
また、画面全体の多くの部分が、再生関連ボタンと再生バーなどの表示に割り当てられる。これによって、音楽のアルバムイメージやビデオ再生画面が実際に表示される部分が減るようになったり、再生関連ボタンまたは再生バー等により遮られる短所がある。
【発明の概要】
【発明が解決しようとする課題】
【０００５】
このような背景で、本発明の目的は、メディア再生に対して直観的で、かつ便利な操作性を提供するユーザインターフェースとメディア再生制御技術を提供することにある。
【０００６】
また、本発明の他の目的は、再生関連ボタンと再生バーなどが画面全体で表示される空間を減らして、音楽のアルバムイメージやビデオ再生画面などが実際に表示される空間を増やしたり、再生関連ボタンまたは再生バー等により音楽のアルバムイメージやビデオ再生画面などが遮られないようにすることで、メディア鑑賞の満足度を高めるユーザインターフェースとメディア再生制御技術を提供することにある。
【課題を解決するための手段】
【０００７】
前述した目的を達成するために、一態様によれば、本発明は、メディアを再生する再生器と、上記メディアの再生流れによって移動するボタンを画面に表示する画面部と、上記ボタンの操作入力によって上記メディアの再生を制御する制御部と、を含むメディア再生を制御する装置を提供する。
【０００８】
他の態様によれば、本発明は、メディアを再生する再生器と、再生バーでの現在再生地点に沿って移動するボタンをタッチスクリーンに表示する表示部と、上記ボタンが表示された地点で認識されたタッチイベントによって上記メディアの再生を制御する制御部と、を含むメディア再生を制御する装置を提供する。
【０００９】
更に他の態様によれば、本発明は、メディアを保存するメモリと、上記メディアの再生流れによって移動するボタンが表示される表示部と、を含むメディア再生を制御する装置を提供する。
【００１０】
更に他の態様によれば、本発明は、プレイヤーがメディア再生を制御する方法であって、メディアを再生するステップと、上記メディアの再生流れによって移動するボタンが画面に表示されるようにするステップと、上記ボタンの操作入力によって上記メディアの再生を制御するステップと、を含むメディア再生を制御する方法を提供する。
【００１１】
更に他の態様によれば、本発明は、メディア再生を制御する方法を実行させるためのプログラムを記録した記録媒体であって、メディアを再生する機能と、上記メディアの再生流れによって移動するボタンが画面に表示されるようにする機能と、上記ボタンの操作入力によって上記メディアの再生を制御する機能と、を具現するプログラムを記録したコンピュータが読み取り可能な記録媒体を提供する。
【発明の効果】
【００１２】
以上、説明したように、本発明によれば、メディア再生に対して直観的で、かつ便利な操作性を提供するユーザインターフェースとメディア再生制御技術を提供する効果がある。
【００１３】
また、本発明によれば、再生関連ボタンと再生バーなどが画面全体で表示される空間を減らして音楽のアルバムイメージやビデオ再生画面などが実際に表示される空間を増やしたり、再生関連ボタンまたは再生バー等により音楽のアルバムイメージやビデオ再生画面などが遮られないようにすることで、メディア鑑賞の満足度を高めるユーザインターフェースとメディア再生制御技術を提供する効果がある。
【図面の簡単な説明】
【００１４】
【図１】図１は、本発明の一実施形態に係るメディア再生制御装置に対するブロック図である。
【図２】図２は、メディアの再生流れによって移動するボタンが表示された画面を示す図である。
【図３】図３は、メディアの再生状態によってボタンが一時停止ボタンと再生ボタンを表示した画面を各々示す図である。
【図４】図４は、ボタンがドラッグボタンを表示した画面を再生バーの種類によって各々示す図である。
【図５】図５は、メディアの再生状態が再生中状態の場合と一時停止状態における再生地点を移動する状況を示す図である。
【図６】図６は、再生バーにおける現在再生地点に沿って移動するボタンが表示された画面を示す図である。
【図７】図７は、本発明の他の実施形態に係るメディア再生制御装置に対するブロック図である。
【図８】図８は、再生バーでの現在再生地点に沿って移動するボタンが表示された画面を再生バーの種類によって各々示す図である。
【図９】図９は、ボタンの種類を示す図である。
【図１０】図１０は、メディアの再生状態が再生中状態の場合と一時停止状態における再生地点を移動する状況を示す図である。
【図１１】図１１は、本発明の更に他の実施形態に係るメディア再生を制御する端末機に対するブロック図である。
【図１２】図１２は、本発明の更に他の実施形態に係るメディア再生制御方法に対するフローチャートである。
【発明を実施するための形態】
【００１５】
以下、本発明の一部の実施形態を添付した図面を参照しつつ詳細に説明する。各図面の構成要素に参照符号を付加するに当たって、同一な構成要素に対してはたとえ他の図面上に表示されても、できる限り同一な符号を有するようにしていることに留意しなければならない。また、本発明を説明するに当たって、関連した公知構成または機能に対する具体的な説明が本発明の要旨を曖昧にすることができると判断される場合にはその詳細な説明は省略する。
【００１６】
また、本発明の構成要素を説明するに当たって、第１、第２、Ａ、Ｂ、（ａ）、（ｂ）などの用語を使用することができる。このような用語はその構成要素を他の構成要素と区別するためのものであり、その用語により当該構成要素の本質や回順序または順序などが限定されない。どの構成要素が他の構成要素に“連結”、“結合”、または“接続”されると記載された場合、その構成要素はその他の構成要素に直接的に連結、または接続できるが、各構成要素の間に更に他の構成要素が“連結”、“結合”、または“接続”されることもできると理解されるべきである。
【００１７】
図１は、本発明の一実施形態に係るメディア再生制御装置１００に対するブロック図である。
【００１８】
図１を参照すると、本発明の一実施形態に係るメディア再生制御装置１００は、メディア（Media）を再生する再生器１１０と、メディアの再生流れによって移動するボタンを画面に表示する画面部１２０と、ボタンの操作入力によってメディアの再生を制御する制御部１３０などを含む。
【００１９】
本明細書で言及されたメディアは、音楽、ビデオなどの一定時間の間再生できる全てのコンテンツを意味する。 
【００２０】
図１に図示されたメディア再生制御装置１００は、移動通信端末機、スマートフォン、ＭＰ３プレイヤー、ＰＤＡ、ＰＭＰなどの携帯用端末機、または、デスクトップ（Desktop）、ラップトップ（Laptop）などのコンピュータでありうる。
【００２１】
図２は、メディア再生のための画面２００を示す図である。
【００２２】
図２に示すように、画面２００にはメディアの再生画面やメディアと関連したイメージなどが表示される部分２１０があり、再生器１１により再生されるメディアの再生流れによって移動するボタン２２０が表示される。
【００２３】
図２を参照すると、画面２００の一部分には、ボタン２２０が移動可能な領域（Ａ）が予め設定されたり、ボタン２２０の移動経路に該当する軌跡（Ｌ）が予め設定されており、メディアが再生されれば、ボタン２２０はメディアの再生流れによって、開始地点（Ｓ）から終了地点（Ｅ）まで、領域（Ａ）内で、または軌跡（Ｌ）に沿って移動しながら表示される。即ち、ボタン２２０が表示された地点はメディアの現在再生地点（Ｐ）に該当する。 
【００２４】
前述した制御部１３０は、ボタン２２０の操作入力によってメディアの再生状態を“再生中状態”及び“一時停止状態”のうちの１つにトグル（Toggle）させることができる。例えば、図２を参照すると、ボタン２２０がメディアの再生流れによって移動する間、ユーザがボタン２２０を操作すれば、メディアの再生が一時停止される。メディアの再生が一時停止された状態で、ユーザがボタン２２０を操作すれば、メディアの再生がまた再開される。
【００２５】
このように、制御部１３０は、ボタン２２０の操作入力によってメディアの再生状態を“再生中状態”及び“一時停止状態”のうちの１つにトグルさせたことをユーザが容易に認知できるように、ボタン２２０の種類（形状、形体など）をトグルさせることができる。
【００２６】
即ち、制御部１３０はボタン２２０の操作入力によってメディアの再生状態を“再生中状態”にトグルさせた場合、ボタン２２０が一時停止ボタンを表示するように制御し、ボタン２２０の操作入力によってメディアの再生状態を“一時停止状態”にトグルさせた場合、ボタン２２０が再生ボタンを表示するように制御することができる。
【００２７】
このように、ボタン２２０の操作入力によってメディアの再生状態がトグルされ、これと共に、ボタン２２０の種類（形状、形体など）がトグルされたことを図３に例示的に図示する。
【００２８】
図３は、メディアの再生状態によってボタン２２０が一時停止ボタン２２０ａと再生ボタン２２０ｂを表示した画面２２０を各々示す図である。
【００２９】
図３を参照すると、メディアの再生状態が“再生中状態”の場合、ボタン２２０は一時停止ボタン２２０ａを表示し、メディアの再生状態が“一時停止状態”の場合、ボタン２２０は再生ボタン２２０ｂを表示する。
【００３０】
図３を参照すると、一時停止ボタン２２０ａをユーザが操作すれば、“再生中状態”であるメディアの再生状態が“一時停止状態”となってメディアの再生が一時停止され、一時停止ボタン２２０ａも再生ボタン２２０ｂに変更される。再生ボタン２２０ｂをユーザが操作すれば、“一時停止状態”であるメディアの再生状態が“再生中状態”となってメディアの再生が再開され、再生ボタン２２０ｂも一時停止ボタン２２０ａに変更される。
【００３１】
メディア再生のための画面２００はタッチスクリーンであることがあり、この場合、ボタン２２０の操作入力はタッチスクリーンを通じたタッチイベントでありうる。
【００３２】
メディアの再生状態が“再生中状態”の時、ユーザは一時停止ボタン２２０ａをタッチして、メディアの再生状態を“一時停止状態”に変えることができ、この際、一時停止ボタン２２０ａは再生ボタン２２０ｂに変更されて表示される。ここで、一時停止ボタン２２０ａと再生ボタン２２０ｂとの間のトグル（変更）のためのタッチイベントは、ユーザが短い時間タッチ（このようなタッチをショットタッチ（Short Touchともいう）して発生するタッチイベントである。
【００３３】
一方、制御部１３０は、一時停止ボタン２２０ａまたは再生ボタン２２０ｂを表示したボタン２２０が表示された地点で発生したタッチイベントが予め定義された一定時間以上持続的に認識されれば、メディアの再生地点を前や後に移動させることができる状態になるように制御することができる。ここで、メディアの再生地点を前や後に移動させることができる状態に変えるためのタッチイベントは、一時停止ボタン２２０ａと再生ボタン２２０ｂとの間のトグル（変更）のためのタッチイベントの認識時間より長く認識される。即ち、メディアの再生地点を前や後に移動させることができる状態に変えるためのタッチイベントは、一時停止ボタン２２０ａまたは再生ボタン２２０ｂを長時間タッチ（これをロングタッチ（Long Touch）ともいう）するタッチイベントである。
【００３４】
このように、ボタン２２０が一時停止ボタン２２０ａを表示した再生中状態、またはボタン２２０が再生ボタン２２０ｂを表示した一時停止状態がメディアの再生地点を移動させることができる状態になったことをユーザが認知できるようにするために、前述した制御部１３０は、一時停止ボタン２２０ａまたは再生ボタン２２０ｂを表示したボタン２２０がドラッグボタンに変更されて表示されるようにして、ドラッグボタンがドラッグされたことをタッチスクリーンを通じて認識してメディアの再生地点を移動させる。ここで、ドラッグのためのタッチイベントは“ドラッグイベント”ともいう。
【００３５】
前述した制御部１３０は、一時停止ボタン２２０ａまたは再生ボタン２２０ｂを表示したボタン２２０がドラッグボタンに変更されて表示されれば、ユーザの再生地点移動を助けるために、現在再生地点にドラッグボタンが表示された再生バーが新しく表出されるように制御することができる。
【００３６】
図４は、ボタン２２０がドラッグボタン２２０ｃを表示した画面２００を再生バーの種類によって各々示す図である。
【００３７】
図４の（ａ）及び（ｂ）は、全体再生時間が５分であるメディアが２分２５秒で再生中の時、ユーザが一時停止ボタン２２０ａを一定時間以上持続的にタッチして一時停止ボタン２２０ａがドラッグボタン２２０ｃに変更されて表示され、再生地点移動の便宜性のために再生バー４００ａ、４００ｂが表出された画面、または、全体再生時間が５分であるメディアが再生されてから２分２５秒で一時停止されている時、ユーザが再生ボタン２２０ｂを一定時間以上持続的にタッチして再生ボタン２２０ｂがドラッグボタン２２０ｃに変更されて表示され、再生地点移動の便宜性のために再生バー４００ａ、４００ｂが表出された画面である。
【００３８】
図４の（ａ）に図示された再生バー４００ａは一定領域で表示されており、このような一定領域内でドラッグボタン２２０ｃをユーザがドラッグさせることができる。図４の（ｂ）に図示された再生バー４００ｂは一定の長さの直線で表示されており、このような一定長さの直線上でドラッグボタン２２０ｃをユーザがドラッグさせることができる。
【００３９】
図４の（ａ）及び（ｂ）に例示的に図示された再生バー４００ａ、４００ｂは、図示された形態の他にも、どの形態やどの位置にも表示されることができる。
【００４０】
図５は、メディアの再生状態が“再生中状態”の場合と“一時停止状態”における再生地点を移動する状況を各々示す図である。
【００４１】
図５の（ａ）を参照すると、メディアの再生状態が“再生中状態”の場合、一時停止ボタン２２０ａをユーザが一定時間以上持続的にタッチすれば、制御部１３０はこれをタッチスクリーンを通じて認識して一時停止ボタン２２０ａをドラッグボタン２２０ｃに変更し、再生バー４００ａが表出されるように制御する。
【００４２】
ユーザがドラッグボタン２２０ｃが表示されたＰ１地点（０２分２５秒地点）をタッチして画面から離れないままにＰ２地点（０４分１０秒地点）に向けて移動すれば、制御部１３０のタッチスクリーンを通じたタッチイベントに対する認識地点もＰ１地点から移動するようになる。これによって、制御部１３０はドラッグボタン２２０ｃがタッチイベントの認識地点移動によって共に移動しながら表示されるように制御する。
【００４３】
ユーザがＰ１地点をタッチして画面から離れないままに移動してからＰ２地点でタッチを画面から離すと、タッチイベントの認識もＰ２地点で終わるようになる。この際、制御部１３０はドラッグボタン２２０ｃが一時停止ボタン２２０ａに変更されて表示され、Ｐ２地点からメディアの再生が再開されるように制御することができる。
【００４４】
図５の（ｂ）を参照すると、メディアの再生状態が“一時停止状態”の場合に、再生ボタン２２０ｂをユーザが一定時間以上持続的にタッチすれば、制御部１３０はこれをタッチスクリーンを通じて認識して再生ボタン２２０ｂをドラッグボタン２２０ｃに変更し、再生バー４００ａが表出されるように制御する。
【００４５】
ユーザがドラッグボタン２２０ｃが表示されたＰ１地点（０２分２５秒地点）をタッチして画面から離れないままにＰ２地点（０４分１０秒地点）に向けて移動すれば、制御部１３０のタッチスクリーンを通じたタッチイベントに対する認識地点もＰ１地点から移動するようになる。これによって、制御部１３０はドラッグボタン２２０ｃがタッチイベントの認識地点移動に従って共に移動しながら表示されるように制御する。
【００４６】
ユーザがＰ１地点をタッチして画面から離れないままに移動してからＰ２地点でタッチを画面から離すと、タッチイベントの認識もＰ２地点で終わるようになる。この際、制御部１３０はドラッグボタン２２０ｃが再生ボタン２２０ｂに変更されて表示され、Ｐ２地点でメディアの再生が一時停止されているように制御することができる。
【００４７】
一方、前述した制御部１３０は、ボタン２２０が表示されない部分でタッチイベントが認識されれば、音量調節指示子、メディア関連情報、及びメディア移動指示子等のうち、１つ以上が表示されるように制御することができる。これを通じて、ユーザは音量を調節したり、メディア関連情報（例：曲情報、歌詞情報、字幕情報、ファイル属性情報等）を確認したり、以後または以前メディアに移動することができる。
【００４８】
図２及び図４を参照すると、再生バー４００ａ、４００ｂは、画面２００に始めには表示されず、一時停止ボタン２２０ａまたは再生ボタン２２０ｂを表示したボタン２２０がドラッグボタン２２０ｃに変更されれば表出されたが、場合によっては、図６に示すように、画面２００に始めからボタン２２０と共に再生バー４００ａ、４００ｂが表示されていることもできる。
【００４９】
図６を参照すると、画面部１２０は、ボタン２２０が表示される時、再生バー４００ａを共に表示し、かつ再生バー４００ａでの現在再生地点に沿ってボタン２２０が移動しながら表示されるようにすることができる。
【００５０】
このような画面部１２０は、図６及び図４の（ａ）のように、所定の領域に再生バー４００ａを表示した場合、ボタン２２０が再生バー４００ａが表示された領域内で現在再生地点に沿って移動するようにすることができる。また、画面部１２０は、図４の（ｂ）のように直線形態を有する再生バー４００ｂの場合、ボタン２２０がこのような再生バー４００ｂが表示された軌跡での現在再生地点に沿って移動するようにすることもできる。
【００５１】
図７は、本発明の他の実施形態に係るメディア再生制御装置７００に対するブロック図である。
【００５２】
図７を参照すると、本発明の他の実施形態に係るメディア再生制御装置７００は、メディアを再生する再生器７１０と、再生バーでの現在再生地点に沿って移動するボタンをタッチスクリーンに表示する表示部７２０と、ボタンが表示された地点で認識されたタッチイベントによってメディアの再生を制御する制御部７３０などを含む。
【００５３】
図７に図示されたメディア再生制御装置７００は、移動通信端末機、スマートフォン、ＭＰ３プレイヤー、ＰＤＡ、ＰＭＰなどの携帯用端末機、または、デスクトップ（Desktop）、ラップトップ（Laptop）などのコンピュータでありうる。
【００５４】
図８は、再生バー８２０ａ、８２０ｂでの現在再生地点に沿って移動するボタン８３０が表示されたタッチスクリーン７４０を再生バーの種類によって各々示す図である。
【００５５】
図８の（ａ）に図示された再生バー８２０ａはボタン８３０が移動可能な一定領域に表示されており、図８の（ｂ）に図示された再生バー８２０ｂはボタン８３０が移動可能な軌跡のような一定の長さの直線で表示される。
【００５６】
ボタン８３０は、図８の（ａ）に図示された再生バー８２０ａが表示された領域内で移動しながら表示できる。図８の（ｂ）に図示された再生バー８２０ｂが表示された軌跡に沿って移動しながら表示できる。ボタン８３０が表示された地点はメディアの現在再生地点になる。
【００５７】
図８に示すように、タッチスクリーン７４０にはメディアの再生画面やメディアと関連したイメージなどが表示される部分８１０がある。
【００５８】
前述した制御部７３０は、メディアが再生中の場合には、ボタン８３０として一時停止ボタンが表示されるように制御し、一時停止ボタンが表示された地点でタッチイベントが認識されれば、一時停止ボタンが再生ボタンに変更されて表示され、メディアの再生が一時停止されるように制御することができる。
【００５９】
また、制御部７３０は、一時停止ボタンまたは再生地点が表示された地点でタッチイベントが一定時間以上持続的に認識されれば、一時停止ボタンまたは再生地点がドラッグボタンに変更されて表示されるように制御することができる。
【００６０】
制御部７３０は、ドラッグボタンが表示された地点で発生したタッチイベントが特定地点までドラッグされることが認識されれば、ドラッグボタンが特定地点まで移動しながら表示されるように制御した後、ドラッグボタンが特定地点で一時停止ボタンに変更されて表示され、特定地点から上記メディアが再生されるように制御したり、ドラッグボタンが特定地点で再生ボタンに変更されて表示され、特定地点でメディアの再生が一時停止されているように制御することができる。
【００６１】
前述したように、図９を参照すると、再生バー８２０ａまたは８２０ｂでの現在再生地点（Ｐ）に沿って移動するボタン８３０は、ユーザ操作またはメディアの再生状態によって、一時停止ボタン８３０ａ、再生ボタン８３０ｂ、またはドラッグボタン８３０ｃのうちの１つで表示されることができる。
【００６２】
図９を参照すると、メディアが再生中の場合、ボタン８３０は一時停止ボタン８３０ａを表示し、一時停止ボタン８３０ａをユーザがタッチすれば、一時停止ボタン８３０ａは再生ボタン８３０ｂに変更され、メディアの再生は一時停止される。メディアの再生が一時停止された状態で、ユーザが再生ボタン８３０ｂをタッチすれば、再生ボタン８３０ｂが一時停止ボタン８３０ａに変更され、メディアの再生がまた再開される。
【００６３】
また、図９を参照すると、ユーザが一時停止ボタン８３０ａまたは再生ボタン８３０ｂを一定時間以上持続的にタッチすれば、一時停止ボタン８３０ａまたは再生ボタン８３０ｂがドラッグボタン８３０ｃに変更される。
【００６４】
図１０は、メディアの再生状態が“再生中状態”の場合と“一時停止状態”における再生地点を移動する状況を示す図である。
【００６５】
図１０の（ａ）を参照すると、メディアの再生状態が“再生中状態”の場合、一時停止ボタン８３０ａをユーザが一定時間以上持続的にタッチすれば、制御部７３０はこれをタッチスクリーン７４０を通じて認識して、一時停止ボタン８３０ａがドラッグボタン８３０ｃに変更されるように制御する。
【００６６】
ユーザがドラッグボタン８３０ｃが表示されたＰ１地点（０２分２５秒地点）をタッチして画面から離れないままにＰ２地点（０４分１０秒地点）に向けて移動すれば、制御部７３０のタッチスクリーン７４０を通じたタッチイベントに対する認識地点もＰ１地点で移動するようになる。これによって、制御部７３０はドラッグボタン８３０ｃがタッチイベントの認識地点移動に従って共に移動しながら表示されるように制御する。
【００６７】
ユーザがＰ１地点をタッチして画面から離れないままに移動してからＰ２地点でタッチをタッチスクリーン７４０から離すと、タッチイベントの認識もＰ２地点で終わるようになる。この際、制御部７３０はドラッグボタン８３０ｃが一時停止ボタン８３０ａに変更されて表示され、Ｐ２地点からメディアの再生が再開されるように制御することができる。
【００６８】
図１０の（ｂ）を参照すると、メディアの再生状態が“一時停止状態”の場合、再生ボタン８３０ｂをユーザが一定時間以上持続的にタッチすれば、制御部７３０はこれをタッチスクリーン７４０を通じて認識して、再生ボタン８３０ｂがドラッグボタン８３０ｃに変更されるように制御する。
【００６９】
ユーザがドラッグボタン８３０ｃが表示されたＰ１地点（０２分２５秒地点）をタッチして画面から離れないままにＰ２地点（０４分１０秒地点）に向けて移動すれば、制御部７３０のタッチスクリーン７４０を通じたタッチイベントに対する認識地点もＰ１地点で移動するようになる。これによって、制御部７３０はドラッグボタン８３０ｃがタッチイベントの認識地点移動に従って共に移動しながら表示されるように制御する。
【００７０】
ユーザがＰ１地点をタッチして画面から離れないままに移動してからＰ２地点でタッチをタッチスクリーン７４０から離すと、タッチイベントの認識もＰ２地点で終わるようになる。この際、制御部７３０はドラッグボタン８３０ｃが再生ボタン８３０ｂに変更されて表示され、Ｐ２地点でメディアの再生が一時停止されているように制御することができる。
【００７１】
一方、制御部７３０は、再生バー８２０ａ、８２０ｂが表示された領域の以外の他の領域でタッチイベントが認識されれば、他の領域に音量調節指示子、メディア関連情報、及びメディア移動指示子等のうち、１つ以上が表示されるように制御することができる。
【００７２】
一方、制御部７３０はタッチスクリーン７４０を通じて認識されたタッチイベントがフリッキング（Flicking）イベントであれば、フリッキングイベントの方向によって、以後のメディア、または以前のメディアが再生されるように制御することができる。
【００７３】
本明細書で言及されたメディアは、内部に格納されたメディア、または外部から入力を受けたり受信したメディアでありうる。
【００７４】
したがって、本発明の他の実施形態に係るメディア再生制御装置７００は、メディアを格納するメモリ７６０と、メディアの入力を受けたり受信するためのインターフェース７７０等のうちの１つ以上を含むことができ、オーディオを出力するためのオーディオ出力部７５０などを含む。前述したインターフェース７７０は、一例として、ＵＳＢなどのケーブルが連結される入力端子と、ブルートゥース（登録商標）、ＷｉＦｉ（登録商標）などの通信モジュールなどのうちの１つ以上を含むことができる。
【００７５】
図１１は、本発明の更に他の実施形態に係るメディア再生を制御する端末機１１００に対するブロック図である。
【００７６】
図１１を参照すると、本発明の更に他の実施形態に係るメディア再生を制御する装置１１００は、メディアを格納するメモリ１１１０と、メディアの再生流れによって移動するボタンが表示される表示部１１２０などを含む。
【００７７】
このような装置１１００にはメディア再生のためのプログラム（アプリケーション）でありうるプレイヤー１１３０が設置されることができる。前述したプログラムは、装置１１００がネットワークを介してサーバや他の装置から受信したり入力を受けて設置されたアプリケーションでありうる。
【００７８】
このようなプレイヤー１１３０は、メモリ１１１０に格納されたメディアを読取って再生させるが、予め格納されたメディアを再生することもでき、通信モジュール（図示せず）を通じて受信されるメディアをリアルタイムに再生することもできる。
【００７９】
前述した表示部１１２０はタッチイベントを認識することができるタッチスクリーンでありうる。
【００８０】
ユーザがタッチスクリーンに表示されたボタンを短くタッチすれば、プレイヤー１１３０はタッチスクリーンを通じたユーザのボタンタッチ認識によって、メディアの再生状態を一時停止状態及び再生のうちの１つにトグルさせることができる。このようなトグルされた状態によってボタンを一時停止ボタン及び再生ボタンのうちの１つにトグルさせることができる。
【００８１】
また、ユーザがタッチスクリーンに表示されたボタンを長くタッチすれば、プレイヤー１１３０は再生地点移動を制御することができる状態に変更させておき、ユーザがボタンをドラッグすれば、タッチスクリーンを通じた認識されたドラッグによって再生地点を移動させることができる。
【００８２】
このような装置１１００は、一例として、移動通信端末機、スマートフォン、ＭＰ３プレイヤー、ＰＤＡ、ＰＭＰなどの携帯用端末機、または、デスクトップ（Desktop）、ラップトップ（Laptop）などのコンピュータでありうる。
【００８３】
図１２は、本発明の更に他の実施形態に係るプレイヤー（Player）が提供するメディア再生制御方法に対するフローチャートである。
【００８４】
図１２を参照すると、本発明の更に他の実施形態に係るプレイヤーがメディア再生を制御する方法は、メディアを再生するステップＳ１２００と、メディアの再生流れによって移動するボタンが画面に表示されるようにするステップＳ１２０２と、ボタンの操作入力によってメディアの再生を制御するステップＳ１２０４などを含む。
【００８５】
このようなメディア再生制御方法を提供するプレイヤーは、図１のメディア再生制御装置１００、または図７のメディア再生制御装置７００、または図１１の装置１１００に設置されたプレイヤー１１３０でありうる。
【００８６】
前述したプレイヤーがメディア再生を制御する方法は、プログラムで具現され、コンピュータが読み取り可能な記録媒体に記録できる。
【００８７】
前述したメディア再生制御方法を具現するための記録媒体に記録されるプログラムは、メディアを再生する機能と、メディアの再生流れによって移動するボタンが画面に表示されるようにする機能と、ボタンの操作入力によってメディアの再生を制御する機能などを実行する。
【００８８】
記録媒体に記録されたプログラムは、コンピュータで読取って設置され、実行されることで、前述した機能を実行することができる。ここで、コンピュータは以上で前述したメディア再生を制御する装置１００、７００、１１００を含む。
【００８９】
このように、コンピュータが記録媒体に記録されたプログラムを読取ってプログラムで具現された機能を実行させるために、前述したプログラムはコンピュータのプロセッサー（ＣＰＵ）がコンピュータの装置インターフェース（Interface）を通じて読み取り可能なＣ、Ｃ＋＋、ＪＡＶＡ（登録商標）、機械語などのコンピュータ言語にコード化されたコード（Code）を含むことができる。
【００９０】
このようなコードは前述した機能を定義した関数などと関連した機能的なコード（Function Code）を含むことができ、前述した機能をコンピュータのプロセッサーが所定の手続きの通り実行させることに必要とする実行手続き関連制御コードを含むこともできる。
【００９１】
また、このようなコードは前述した機能をコンピュータのプロセッサーが実行させることに必要とする追加情報や、メディアがコンピュータの内部または外部メモリのどの位置（アドレス番地）で参照されるかに対するメモリ参照関連コードを更に含むことができる。
【００９２】
また、コンピュータのプロセッサーが前述した機能を実行させるために、遠隔（Remote）にある如何なる他のコンピュータやサーバなどと通信を必要とする場合、コードはコンピュータのプロセッサーがコンピュータの通信モジュールを用いて遠隔（Remote）にある如何なる他のコンピュータやサーバなどとどのように通信しなければならないのか、通信時に如何なる情報やメディアを送受信しなければならないのか等に対する通信関連コードを更に含むことができる。
【００９３】
以上、前述したようなプログラムを記録したコンピュータが読み取り可能な記録媒体は、一例として、ＲＯＭ、ＲＡＭ、ＣＤ−ＲＯＭ、磁気テープ、フロッピーディスク（登録商標）、光メディア格納装置などがあり、また、キャリアウェーブ（例えば、インターネットを通じた転送）の形態で具現されることも含むことができる。
【００９４】
また、コンピュータが読み取り可能な記録媒体は、ネットワークにより連結されたコンピュータシステムに分散されて、分散方式によりコンピュータが読み取り可能なコードが格納され、実行されることができる。この場合、多数の分散されたコンピュータのうち、いずれか１つ以上のコンピュータは上記に提示された機能のうちの一部を実行し、その結果を他の分散されたコンピュータのうちの１つ以上にその実行結果を転送することができ、その結果の転送を受けたコンピュータも上記に提示された機能のうちの一部を実行して、その結果をやはり他の分散されたコンピュータに提供することができる。
【００９５】
そして、本発明を具現するための機能的な（Functional）プログラムとこれと関連したコード及びコードセグメントなどは、記録媒体を読取ってプログラムを実行させるコンピュータのシステム環境などを考慮して、本発明が属する技術分野のプログラマーにより容易に推論または変更されることもできる。
【００９６】
以上、説明したように、本発明を利用すれば、メディア再生に対して直観的で、かつ便利な操作性を提供するユーザインターフェースとメディア再生制御技術を提供することができる。
【００９７】
また、本発明によれば、再生関連ボタンと再生バーなどが画面全体で表示される空間を減らして音楽のアルバムイメージやビデオ再生画面などが実際に表示される空間を増やしたり、再生関連ボタンまたは再生バー等により音楽のアルバムイメージやビデオ再生画面などが遮られないようにすることで、メディア鑑賞の満足度を高めるユーザインターフェースとメディア再生制御技術を提供することができる。
【００９８】
以上、本発明の実施形態を構成する全ての構成要素が１つに結合されるか、結合されて動作することと説明されたが、本発明が必ずこのような実施形態に限定されるものではない。即ち、本発明の目的範囲内であれば、その全ての構成要素が１つ以上に選択的に結合して動作することもできる。また、その全ての構成要素が各々１つの独立的なハードウェアで具現されることができるが、各構成要素のその一部または全部が選択的に組み合わせて１つまたは複数個のハードウェアで組み合わせた一部または全部の機能を遂行するプログラムモジュールを有するコンピュータプログラムとして具現されることもできる。そのコンピュータプログラムを構成するコード及びコードセグメントは本発明の技術分野の当業者により容易に推論できるものである。このようなコンピュータプログラムは、コンピュータが読取可能な格納媒体（Computer Readable Media）に格納されてコンピュータによって読取され、実行されることによって、本発明の実施形態を具現することができる。コンピュータプログラムの格納媒体としては、磁気記録媒体、光記録媒体、キャリアウェーブ媒体などが含まれることができる。
【００９９】
また、以上で記載された“含む”、“構成する”、または“有する”などの用語は、特別に反対になる記載がない限り、該当構成要素が内在できることを意味するものであるので、他の構成要素を除外するのでなく、他の構成要素を更に含むことができることと解釈されるべきである。技術的または科学的な用語を含んだ全ての用語は、異に定義されない限り、本発明が属する技術分野で通常の知識を有する者により一般的に理解されることと同一な意味を有する。事前に定義された用語のように、一般的に使われる用語は関連技術の文脈上の意味と一致するものと解釈されるべきであり、本発明で明らかに定義しない限り、理想的であるとか、過度に形式的な意味として解釈されない。
【０１００】
以上の説明は、本発明の技術思想を例示的に説明したことに過ぎないものであって、本発明が属する技術分野で通常の知識を有する者であれば、本発明の本質的な特性から逸脱しない範囲で多様な修正及び変形が可能である。したがって、本発明に開示された実施形態は本発明の技術思想を限定するためのものではなく、説明するためのものであり、このような実施形態により本発明の技術思想の範囲が限定されるのではない。本発明の保護範囲は請求範囲により解釈されなければならず、それと同等な範囲内にある全ての技術思想は本発明の権利範囲に含まれるものと解釈されるべきである。
【符号の説明】
【０１０１】
１００，７００・・・メディア再生制御装置
１１０，７１０・・・再生器
１２０・・・画面部
１３０，７３０・・・制御部
２００・・・画面
２１０・・・メディアの再生画面やメディアと関連したイメージなどが表示される部分
２２０，８３０・・・ボタン
２２０ａ，８３０ａ・・・一時停止ボタン
２２０ｂ，８３０ｂ・・・再生ボタン
２２０ｃ，８３０ｃ・・・ドラッグボタン
４００ａ，４００ｂ・・・再生バー
７２０，１１２０・・・表示部
７４０・・・タッチスクリーン
７５０・・・オーディオ出力部
７６０・・・メモリ
７７０・・・インターフェース
８２０ａ，８２０ｂ・・・再生バー
１１００・・・端末機
１１１０・・・メモリ
１１３０・・・プレイヤー
Ｓ１２００・・・メディアを再生するステップ
Ｓ１２０２・・・メディアの再生流れによって移動するボタンが画面に表示されるようにするステップ
Ｓ１２０４・・・ボタンの操作入力によってメディアの再生を制御するステップ
【図１】
0005481430.tif 000002
【図２】
0005481430.tif 000003
【図３】
0005481430.tif 000004
【図４】
0005481430.tif 000005
【図５】
0005481430.tif 000006
【図６】
0005481430.tif 000007
【図７】
0005481430.tif 000008
【図８】
0005481430.tif 000009
【図９】
0005481430.tif 000010
【図１０】
0005481430.tif 000011
【図１１】
0005481430.tif 000012
【図１２】
0005481430.tif 000013